(57)【要約】【課題】搭載される駆動源の数を少なく抑えつつも、各トレイが独立して移動可能である画像記録装置を提供すること。【解決手段】セカンドトレイ２１は、メイントレイ２０の上部においてスライド可能に支持されている。スライドガイド３４は、セカンドトレイ２１の上部において第３位置と第４位置の間でスライド可能に支持されている。セカンドトレイ２１は、スライドガイド３４が第３位置及び第４位置に位置するときには駆動伝達されず、スライドガイド３４が第３位置と第４位置との間の第５位置に位置するときに駆動伝達される。駆動力のセカンドトレイ２１及びスライドガイド３４への伝達は、切換部２６０によって、選択的に切り換えられる。セカンドトレイ２１への駆動伝達は、遊星ギヤ２０２と第１ラックギヤ２０１の噛合によって行われる。【選択図】図６
2011051697.tif 000002
【特許請求の範囲】
【請求項１】
シートに画像を記録する画像記録部と、
シートを保持する第１トレイと、
上記第１トレイから給送されるシートを上記画像記録部へ案内する第１搬送路と、
上記第１トレイの上側に設けられてシートを保持し、上記第１搬送路へ当該シートを給送可能に上記第１搬送路へ近接する第１位置、及び上記第１トレイから上記第１搬送路へシートを給送可能に上記第１搬送路から離間された第２位置に移動可能な第２トレイと、
上記第２トレイの上側に設けられて、上記画像記録部を通過したシートを再び上記第１搬送路へ案内する第２搬送路と上記第１搬送路とを連続させるように上記第１搬送路へ近接する第３位置、及び上記第１トレイ又は上記第２トレイから上記第１搬送路へシートを給送可能に上記第１搬送路から離間された第４位置に移動可能な第３トレイと、
駆動源と、
駆動源からの駆動力の伝達を上記第２トレイ又は上記第３トレイに選択的に切り換える駆動伝達切換機構と、
上記駆動伝達切換機構から上記第２トレイへ駆動伝達する第１駆動伝達機構と、
上記駆動伝達切換機構から上記第３トレイへ駆動伝達する第２駆動伝達機構と、を備え、
上記第１駆動伝達機構は、上記第３トレイが上記第３位置及び上記第４位置に位置するときには駆動伝達が切断され、上記第３トレイが上記第３位置と上記第４位置との間の第５位置に位置するときに上記第２トレイに駆動伝達するものである画像記録装置。
【請求項２】
上記画像記録部は、シートにインク滴を吐出する記録ヘッドを下面に搭載し、シートの搬送方向と垂直な方向に移動可能なキャリッジ、を備え、
上記駆動伝達切換機構は、上記キャリッジの移動位置に応じて、上記駆動源からの駆動力を上記第１駆動伝達機構へ伝達する第１切換位置、及び上記駆動源からの駆動力を上記第２駆動伝達機構へ伝達する第２切換位置に移動可能に支持された切換ギヤ、を備えたものである請求項１に記載の画像記録装置。
【請求項３】
上記第１駆動伝達機構は、
上記第２トレイの移動方向に沿って上記第２トレイに設けられたラックギヤと、
上記駆動源から駆動伝達され上記ラックギヤと噛合可能な遊星ギヤと、
上記第３トレイにおいて上記ラックギヤに沿って設けられており、上記遊星ギヤと上記ラックギヤの噛合を隔てる側板と、
上記側板に穿たれ、上記ラックギヤへ上記側板を介して噛合可能とする接続孔と、を備えたものである請求項１又は２に記載の画像記録装置。
【請求項４】
上記第１トレイから上記第１搬送路へ斜め上方へ傾倒する分離傾斜板、を更に備え、
上記第３トレイが上記第３位置に位置するときに、上記第３トレイは、上記第１搬送路を形成するガイド部材又は上記分離傾斜板と、上記第３トレイの移動方向と垂直な方向で嵌合される請求項１から３の何れかに記載の画像記録装置。
【発明の詳細な説明】
【技術分野】
【０００１】
本発明は、シートに画像を記録する画像記録装置に関し、特に、画像記録部を通過したシートが別経路を通って再び画像記録部へ搬送されるように構成された画像記録装置に関する。
【背景技術】
【０００２】
従来より、シートの両面に画像を記録することが可能な画像記録装置が公知である。例えば、特許文献１には、インクジェット記録方式の画像記録装置が開示されている。特許文献１に記載の画像記録装置では、メイントレイから送り出されたシートは湾曲状の搬送路（以下「湾曲路」という。）を通って、メイントレイの上側に配置された記録部へ搬送される。そして、記録部において表面（第１面）に画像が記録される。片面画像記録が行われる場合は、シートは搬送方向下流側の配置トレイへ排出される。両面画像記録が行われる場合は、記録部を通過して画像記録済のシートは、記録部よりも搬送方向下流側でスイッチバックされた後に、メイントレイの上側に設けられたガイド部材である両面トレイの上面によって案内されつつ再び上記湾曲路へ搬送される。シートは、この湾曲路を通って裏面（第２面）を記録部に対向させるようにして搬送され、記録部においてその裏面に画像が記録される。
【０００３】
両面トレイは、メイントレイに沿ってスライド可能に構成されている。両面画像記録が行われるとき、両面トレイは湾曲路と近接する方向へスライドする。その結果、画像記録済みのシートを再び湾曲路へ案内する搬送路が形成される。
【０００４】
シートを積載して収容するためのトレイが複数搭載された画像記録装置が公知である。例えば、特許文献２には、画像形成装置本体に装着されて使用されるとともに該画像形成装置本体に供給すべき用紙を積載状態で収容可能なカセットが開示されている。特許文献２に記載のカセットは、二つのトレイ（第一トレイ及び第二トレイ）を備えており、第一トレイ及び第二トレイは入力された動力によって給送トレイを切り換え可能な方向へ相対移動される。
【０００５】
具体的な処理として、該カセットが装着された画像形成装置のＣＰＵは、現在の給紙トレイが第一トレイの場合に、指定用紙が第二トレイの用紙であるとき、トレイ切換えモータを正転駆動させて、第二トレイを退避位置から給紙位置へ移動させる。その結果、給紙トレイが第一トレイから第二トレイに切り換えられる。一方、現在の給紙トレイが第二トレイの場合に、指定用紙が第一トレイの用紙であるとき、トレイ切換えモータを逆転駆動させて、第二トレイを給紙位置から退避位置へ移動させる。その結果、給紙トレイが第二トレイから第一トレイに切り換えられる。
【先行技術文献】
【特許文献】
【０００６】
【特許文献１】特開２００８−２４７５３７号公報
【特許文献２】特開２００８−２９７０５２号公報
【発明の概要】
【発明が解決しようとする課題】
【０００７】
特許文献１の画像記録装置では、両面トレイを駆動するための駆動源が必要である。特許文献２のカセットを搭載した画像形成装置では、第一トレイ及び第二トレイを相対移動させるための駆動源が必要である。第一トレイ、第二トレイ及び両面トレイが搭載された画像記録装置では、両面トレイを駆動するための駆動源と、第一トレイ及び第二トレイを相対移動或いは第一トレイ又は第二トレイを移動させるための駆動源とが必要である。
【０００８】
つまり、両面印刷のために両面トレイが搭載されると必要な駆動源が増加し、シートを積載して収容するためのトレイの数が増加すると必要な駆動源が増加する。画像記録装置に搭載される駆動源が増えると、画像記録装置のコストアップという問題が生じる。
【０００９】
本発明は、このような問題に鑑みてなされたものであり、搭載される駆動源の数を少なく抑えつつも、各トレイが独立して移動可能な手段を提供することにある。
【課題を解決するための手段】
【００１０】
(1)  本発明の画像記録装置は、シートに画像を記録する画像記録部と、シートを保持する第１トレイと、上記第１トレイから給送されるシートを上記画像記録部へ案内する第１搬送路と、上記第１トレイの上側に設けられてシートを保持し、上記第１搬送路へ当該シートを給送可能に上記第１搬送路へ近接する第１位置、及び上記第１トレイから上記第１搬送路へシートを給送可能に上記第１搬送路から離間された第２位置に移動可能な第２トレイと、上記第２トレイの上側に設けられて、上記画像記録部を通過したシートを再び上記第１搬送路へ案内する第２搬送路と上記第１搬送路とを連続させるように上記第１搬送路へ近接する第３位置、及び上記第１トレイ又は上記第２トレイから上記第１搬送路へシートを給送可能に上記第１搬送路から離間された第４位置に移動可能な第３トレイと、駆動源と、駆動源からの駆動力の伝達を上記第２トレイ又は上記第３トレイに選択的に切り換える駆動伝達切換機構と、上記駆動伝達切換機構から上記第２トレイへ駆動伝達する第１駆動伝達機構と、上記駆動伝達切換機構から上記第３トレイへ駆動伝達する第２駆動伝達機構と、を備え、上記第１駆動伝達機構は、上記第３トレイが上記第３位置及び上記第４位置に位置するときには駆動伝達が切断され、上記第３トレイが上記第３位置と上記第４位置との間の第５位置に位置するときに上記第２トレイに駆動伝達するものである。
【００１１】
駆動源からの駆動力の伝達は、駆動伝達切換機構によって、第２トレイ又は第３トレイに選択的に切り換えられる。したがって、第２トレイが移動するときに第３トレイは移動せず、第３トレイが移動するときは第２トレイは移動しない。
【００１２】
上述の構成においては、第３トレイが第５位置に位置するときにのみ、第１駆動伝達機構は第２トレイに駆動伝達する。したがって、第２トレイが片面印刷又は両面印刷中に誤って移動することはない。その結果、第１トレイから給紙されるシートが誤って第１位置に移動してきた第２トレイに遮られること等によって、シートが装置内で詰まることが防止される。
【００１３】
また、上述の構成においては、第２トレイは、第３トレイが第５位置に位置するときに、第１位置と第２位置との間で移動可能である。その後、第３トレイが第５位置以外の位置に移動しても、第２トレイは移動後の状態を保持できる。つまり、第２トレイは、第３トレイが第３位置と第４位置の間の何れに位置していたとしても、第１位置と第２位置の間の任意の位置を保持することができる。
【００１４】
(2)  上記画像記録部は、シートにインク滴を吐出する記録ヘッドを下面に搭載し、シートの搬送方向と垂直な方向に移動可能なキャリッジ、を備え、上記駆動伝達切換機構は、上記キャリッジの移動位置に応じて、上記駆動源からの駆動力を上記第１駆動伝達機構へ伝達する第１切換位置、及び上記駆動源からの駆動力を上記第２駆動伝達機構へ伝達する第２切換位置に移動可能に支持された切換ギヤ、を備えたものであってもよい。
【００１５】
駆動源からの駆動力は、キャリッジの移動位置に応じて、第１駆動伝達機構及び第２駆動伝達機構の何れかへ伝達される。したがって、駆動伝達機構毎に駆動源を設ける必要がない。
【００１６】
(3)  上記第１駆動伝達機構は、上記第２トレイの移動方向に沿って上記第２トレイに設けられたラックギヤと、上記駆動源から駆動伝達され上記ラックギヤと噛合可能な遊星ギヤと、上記第３トレイにおいて上記ラックギヤに沿って設けられており、上記遊星ギヤと上記ラックギヤの噛合を隔てる側板と、上記側板に穿たれ、上記ラックギヤへ上記側板を介して噛合可能とする接続孔と、を備えたものであってもよい。
【００１７】
第３トレイが第５位置に位置すると、遊星ギヤとラックギヤとは接続孔を介して噛合し、第１駆動伝達機構から第２トレイへ駆動力が伝達される。第１駆動伝達機構と第２トレイの接続は、遊星ギヤとラックギヤの噛合によって行われる。
【００１８】
(4)  本発明の画像記録装置は、上記第１トレイから上記第１搬送路へ斜め上方へ傾倒する分離傾斜板、を更に備え、上記第３トレイが上記第３位置に位置するときに、上記第３トレイは、上記第１搬送路を形成するガイド部材又は上記分離傾斜板と、上記第３トレイの移動方向と垂直な方向で嵌合される。
【００１９】
第３トレイに対する支持は、上述の側板によって第２トレイの移動方向に行われる。第１搬送路を形成するガイド部材又は分離傾斜板と第３トレイとの嵌合は、第２トレイの移動方向と垂直な方向である。したがって、第１トレイのみから補完される剛性よりも強い剛性が、ガイド部材又は分離傾斜板及び第１トレイから第３トレイに補完される。
【発明の効果】
【００２０】
本発明によれば、搭載される駆動源の数を少なく抑えつつも、各トレイが独立して移動可能である。
【図面の簡単な説明】
【００２１】
【図１】図１は、本発明の実施形態の一例である複合機１０の外観斜視図である。
【図２】図２は、プリンタ部１１の内部構造を模式的に示す縦断面図である。
【図３】図３は、給紙カセット７８の構成を示す斜視図であり、（Ａ）には第２位置に配置されたセカンドトレイ２１が示されており、（Ｂ）には第１位置に配置されたセカンドトレイが示されている。
【図４】図４は、スライドガイド３４が第４位置に配置された給紙カセット７８の構成を示す斜視図である。
【図５】図５は、スライドガイド３４が第３位置に配置された給紙カセット７８の構成を示す斜視図である。
【図６】図６は、スライドガイド３４が第５位置に配置された給紙カセット７８の構成を示す斜視図である。
【図７】図７は、切換部２６０、第１駆動伝達機構及び第２駆動伝達機構の構成を示す斜視図である。
【図８】図８は、切換部２６０、第１駆動伝達機構及び第２駆動伝達機構の構成を示す平面図及び縦断面図であり、（Ａ）は切換部２６０が第２切換位置のときの平面図であり、（Ｂ）は切換部２６０が第２切換位置のときの縦断面図であり、（Ｃ）は切換部２６０が第１切換位置のときの平面図であり、（Ｄ）は切換部２６０が第１切換位置のときの縦断面図である。
【図９】図９は、制御部によって行われる移動制御の手順の一例を示すフローチャートである。
【図１０】図１０は、制御部によって行われる移動制御の手順の一例を示すフローチャートである。
【発明を実施するための形態】
【００２２】
以下、適宜図面を参照して本発明の実施形態が説明される。なお、以下に説明される実施形態は本発明の一例にすぎず、本発明の要旨を変更しない範囲で、本発明の実施形態を適宜変更できることは言うまでもない。
【００２３】
図１は、本発明の実施形態に係る画像記録装置の一例としての複合機１０の外観を示す斜視図である。以下の説明においては、複合機１０が使用可能に設置された状態（図１の状態）を基準として上下方向７を定義し、開口１３が設けられている側を手前側（正面）として前後方向８を定義し、複合機１０を手前側（正面）から見て左右方向９を定義する。
【００２４】
複合機１０は、高さ（上下方向７の長さ）に対して横幅（左右方向９の長さ）及び奥行き（前後方向８の長さ）が大きい薄型の直方体に概ね形成されている。複合機１０の下部にインクジェット記録方式のプリンタ部１１が設けられている。複合機１０は、ファクシミリ機能、プリンタ機能、スキャナ機能、及びコピー機能などの各種の機能を有している。プリンタ機能としては、両面画像記録機能を有している。なお、プリンタ機能以外の機能は任意である。
【００２５】
プリンタ部１１は、正面に開口１３が形成されたケーシング（筐体）１４を有する。ケーシング１４内にプリンタ部１１の各構成要素が配設されている。開口１３からケーシング１４の内部側へ連続するように収容室１６が区画されている。この収容室１６に給紙カセット７８（図２参照）が装着されている。なお、図１では、給紙カセット７８の図示が省略されている。給紙カセット７８は、開口１３からケーシング１４内に前後方向８に挿抜可能に構成されている。給紙カセット７８は、各種サイズの記録用紙（本発明のシートの一例）を保持可能なメイントレイ２０（本発明の第１トレイの一例）と、その上方で前後方向８へスライド可能なセカンドトレイ２１（本発明の第２トレイの一例）とを有する。
【００２６】
［プリンタ部１１の構成］
次に、図２を参照しながら、プリンタ部１１の構成について説明する。図２では、給紙カセット７８の前方側（紙面右側）の図示が省略されている。プリンタ部１１は、給紙カセット７８に加えて、給紙カセット７８から記録用紙をピックアップして給紙（給送）する給送部１５と、給送部１５によって給紙された記録用紙にインク滴を吐出して記録用紙に画像を形成するインクジェット記録方式の記録部２４（本発明の画像記録部の一例）と、経路切換部４１と、切換部２６０（本発明の駆動伝達切換機構の一例、図７及び図８参照）とを備えている。これらがケーシング１４内に設けられている。なお、記録部２４は、インクジェット方式に限られず、電子写真方式や感熱記録方式などが適用可能である。
【００２７】
［搬送路６５］
プリンタ部１１の内部には、メイントレイ２０の先端（後方側の端部）から記録部２４を経て排紙保持部７９に至る搬送路６５が形成されている。搬送路６５は、メイントレイ２０の先端から記録部２４に至る間に形成された湾曲路６５Ａ（本発明の第１搬送路の一例）と、記録部２４から排紙保持部７９に至る間に形成された排紙路６５Ｂとに区分される。なお、排紙保持部７９は、給紙カセット７８と一体に構成されていてもよく、或いはプリンタ部１１のフレームなどに固定されたものであってもよい。
【００２８】
図２に示されるように、湾曲路６５Ａは、メイントレイ２０に設けられた分離傾斜板２２（本発明の分離傾斜板の一例）の上端付近から記録部２４に渡って延設された湾曲状の通路である。湾曲路６５Ａは、所定間隔を隔てて互いに対向する外側ガイド部材１８及び内側ガイド部材１９（共に本発明のガイド部材の一例）によって区画されている。なお、外側ガイド部材１８及び内側ガイド部材１９、更に、後述する上側ガイド部材８２、下側ガイド部材８３、上側傾斜ガイド部材３２、下側傾斜ガイド部材３３は、いずれも、図２の紙面垂直方向（図１の左右方向９）へ延びている。
【００２９】
排紙路６５Ｂは、記録部２４よりも搬送方向の下流側（以下、単に「下流側」と略称する。）に設けられた下側ガイド部材８２と上側ガイド部材８３とによって区画されている。ここで、搬送方向とは、記録用紙が搬送路６５及び後述する反転搬送路６７を搬送される向き（図２において矢印付きの二点鎖線で示される向き）を指す。排紙路６５Ｂは、第２搬送ローラ６２によって搬送された画像記録済の記録用紙の下面を支持しつつ、下流側へ案内する。下側ガイド部材８２の下流側端部よりも下流側に分岐口３６が形成されている。両面画像記録の際、排紙路６５Ｂを搬送された記録用紙は、分岐口３６の下流側でスイッチバックされた後に、分岐口３６から下方へ向けて搬送される。
【００３０】
下側ガイド部材８２には、前後方向８に長い細幅の凹部８５が形成されている。凹部８５のサイズ及び位置は、後述する補助ローラ４７が凹部８５の内部に没入可能に設計されている。上側ガイド部材８３は、下側ガイド部材８２よりも上方に配置されている。上側ガイド部材８３と下側ガイド部材８２とは、記録用紙が通過可能な所定間隔を隔てて互いに対向するように配置されている。
【００３１】
［反転搬送路６７］
プリンタ部１１の内部には、反転搬送路６７（本発明の第２搬送路の一例）が形成されている。反転搬送路６７は、分岐口３６で排紙路６５Ｂから分岐され、給紙カセット７８とその上方に配置された記録部２４との間を通って、記録部２４よりも搬送方向の上流側（以下、単に「上流側」と略称する。）の合流部に接続されている。
【００３２】
反転搬送路６７は、分岐口３６から後方斜め下向きに傾斜する傾斜面を有する上側傾斜ガイド部材３２と、下側傾斜ガイド部材３３とによって区画されている。本実施形態では、上側傾斜ガイド部材３２と下側傾斜ガイド部材３３とによって、反転搬送路６７の一部、詳細には、分岐口３６側の傾斜路６７Ａが区画されている。また、反転搬送路６７は、給紙カセット７８に設けられた後述のスライドガイド３４（本発明の第３トレイの一例）によっても区画される。図２において破線で示される案内位置に配置されたスライドガイド３４の上面によって、湾曲路６５Ａ側の直線状の直線路６７Ｂが区画されている。つまり、反転搬送路６７と湾曲路６５Ａは連続する経路を形成する。
【００３３】
このように搬送路６５及び反転搬送路６７が形成されているため、給送部１５によってメイントレイ２０から給紙された記録用紙は、湾曲路６５Ａを通って、記録部２４へ搬送される。記録部２４を通過した記録用紙は、排紙路６５Ｂを通って排紙保持部７９へ搬送されるか、或いは、経路切換部４１により搬送経路が切り換えられて、反転搬送路６７を通って再び記録部２４へ搬送される。なお、経路切換部４１については後述する。
【００３４】
［記録部２４］
図２に示されるように、記録部２４は、給紙カセット７８の上方に配置されている。記録部２４は、主としてキャリッジ４０（本発明のキャリッジの一例）、記録ヘッド３９（本発明の記録ヘッドの一例））及びプラテン４２によって構成されている。
【００３５】
キャリッジ４０は、図２の紙面垂直方向（主走査方向）に延出された一対のガイドレール（不図示）に沿って往復動される。ガイドレールにはベルト駆動機構（不図示）が設けられている。ベルト駆動機構によって、モータの駆動力がキャリッジ４０へ伝達され、キャリッジ４０が往復動される。記録ヘッド３９は、キャリッジ４０に搭載されてキャリッジ４０と共に往復動される。記録ヘッド３９は、キャリッジ４０の下面として露出されている。記録ヘッド３９の下面には、微細なインク滴を吐出するための複数のノズルが形成されている。記録部２４の下方にプラテン４２が設けられている。プラテン４２は、記録部２４によって画像記録が行われる際に、記録用紙を水平に支持するものである。記録部２４は、主走査方向への往復移動過程において、図示しないインクカートリッジから供給されたインクをノズルから微小なインク滴としてプラテン４２上を搬送される記録用紙に吐出する。これにより、記録用紙に画像が記録される。
【００３６】
湾曲路６５Ａの終端と記録部２４との間には、第１搬送ローラ６０（本発明の搬送手段の一例）及びピンチローラ６１が設けられている。これらは対をなしている。第１搬送ローラ６０及びピンチローラ６１は、湾曲路６５Ａを搬送してきた記録用紙を狭持してプラテン４２上へ送る。また、記録部２４と排紙路６５Ｂにおける上流側の端部との間には、第２搬送ローラ６２及び拍車ローラ６３が設けられている。これらは対をなしている。第２搬送ローラ６２及び拍車ローラ６３は、記録済みの記録用紙を狭持してさらに下流側（排紙保持部７９側）へ搬送する。第１搬送ローラ６０及び第２搬送ローラ６２は、搬送用モータ（不図示）から回転駆動力が伝達されて回転される。
【００３７】
［給送部１５］
給送部１５は、給紙カセット７８に収容された記録用紙を湾曲路６５Ａへ向けて搬送するためのものであり、給紙ローラ２５と、給紙アーム２６と、駆動伝達機構２７とを備えている。給紙ローラ２５は、給紙カセット７８の上側に配置されている。給紙ローラ２５は、給紙カセット７８のメイントレイ２０に収容された記録用紙をピックアップして湾曲路６５Ａへ給紙するものであり、給紙アーム２６の先端に回転自在に軸支されている。給紙ローラ２５は、給紙用モータ（本発明の駆動源の一例、不図示）の回転力が駆動伝達機構２７を介して伝達されると回転駆動される。なお、駆動伝達機構２７は、給紙アーム２６に軸支されており、概ね給紙アーム２６の延出方向に沿って直線状に並ぶ複数のギヤで構成されている。なお、給紙ローラ２５は、基軸２８を回動中心軸として回転し、給紙カセット７８に収容された記録用紙の上面に圧接可能である。
【００３８】
［経路切換部４１］
図２を参照しながら、経路切換部４１について説明する。経路切換部４１は、排紙路６５Ｂにおける分岐口３６付近に配置されている。経路切換部４１は、図２に示されるように、第３搬送ローラ４５と、拍車ローラ４６と、補助ローラ４７及び補助ローラ４８を有するフラップ４９とにより構成されている。
【００３９】
第３搬送ローラ４５は、下側ガイド部材８２よりも下流側に設けられている。第３搬送ローラ４５は、左右方向８に延びる支軸４４に固定されている。拍車ローラ４６は、第３搬送ローラ４５の上方に配置されており、自重若しくはバネなどによって第３搬送ローラ４５のローラ面に圧接されている。第３搬送ローラ４５及び拍車ローラ４６は、第２搬送ローラ６２及び拍車ローラ６３から送られた記録用紙を狭持するものである。第３搬送ローラ４５及び拍車ローラ４６のニップ部に記録用紙が進入すると、記録用紙は第３搬送ローラ４５及び拍車ローラ４６によって挟持されつつ、第３搬送ローラ４５の回転方向に対応する方向（排紙保持部７９側又は反転搬送路６７側）へ搬送される。
【００４０】
上側ガイド部材８３に、図２の紙面垂直方向（図１の左右方向９）へ延びる支軸８７が設けられている。支軸８７は、分岐口３６よりも上流側に設けられている。フラップ４９は、支軸８７から概ね下流側へ延出されている。フラップ４９は、支軸８７に軸支されている。フラップ４９には、その延出方向に隔てられた補助ローラ４７及び補助ローラ４８が軸支されている。これらの補助ローラ４７，４８のローラ面は、記録用紙の記録面に当接される。フラップ４９は、下側ガイド部材８２よりも上方に位置する排出姿勢と、延出端部４９Ｂが分岐口３６よりも下方へ進入する反転姿勢（図２に示される姿勢）との間で回動する。
【００４１】
［給紙カセット７８］
以下、図３から図８を参照して、給紙カセット７８の構成について詳細に説明する。給紙カセット７８は、給送部１５の下方に設けられている。図３乃至図６に示されるように、給紙カセット７８は、大別すると、メイントレイ２０と、セカンドトレイ２１と、スライドガイド３４とを有する。なお、図３には、スライドガイド３４が省略されている。
【００４２】
［メイントレイ２０］
本実施形態の複合機１０では、Ａ４サイズ、Ｂ５サイズなどの記録用紙がメイントレイ２０に収容される。メイントレイ２０は、記録用紙が載置される底板５４と、底板５４の左右方向９の両端部から立設された側板５５，５６と、底板５４の後方側の端部に立設された分離傾斜板２２とを有している。このメイントレイ２０は、上面が開放された概ね矩形箱状に構成されている。後述するように、側板５５，５６の上面には、セカンドトレイ２１及びスライドガイド３４が前後方向８にスライド可能に支持される。分離傾斜板２２は、記録用紙を円滑に給紙可能なように後方側へ傾倒している。
【００４３】
［セカンドトレイ２１］
図３に示されるように、セカンドトレイ２１は、メイントレイ２０の上部に設けられている。セカンドトレイ２１は、左右方向９の寸法がメイントレイ２０の左右方向９の寸法とほぼ同じであり、前後方向８の寸法がメイントレイ２０の前後方向の寸法よりも短い平板矩形状の部材である。セカンドトレイ２１の左右方向９の中央部には凹部１２２が形成されている。この凹部１２２に記録用紙が収容される。本実施形態の複合機１０では、葉書サイズなどの記録用紙がセカンドトレイ２１に収容される。
【００４４】
セカンドトレイ２１の左端部２１Ｄには、ラックピニオン機構２００の一部を構成する第１ラックギヤ２０１（本発明のラックギヤの一例）が設けられている。ラックピニオン機構２００は、給紙用モータからの回転駆動力を前後方向８の直線駆動力に変換してセカンドトレイ２１又はスライドガイド３４に伝達するものである。ラックピニオン機構２００からセカンドトレイ２１又はスライドガイド３４に駆動力が伝達されると、セカンドトレイ２１又はスライドガイド３４が前後方向８へスライドする。なお、ラックピニオン機構２００への駆動力の伝達は、給紙用モータからに限らず、例えば搬送用モータからであってもよい。第１ラックギヤ２０１を含むラックピニオン機構２００の構成については後述する。
【００４５】
セカンドトレイ２１は、メイントレイ２０の上部において前後方向８へスライド可能に支持されている。詳細には、セカンドトレイ２１は、その後方側の後端２１Ａが分離傾斜板２２に当接する第１位置（本発明の第１位置に相当、図３（Ｂ）に示される位置）と、後端２１Ａが分離傾斜板２２から所定距離だけ前方側へ離間した第２位置（本発明の第２位置に相当、図３（Ａ）に示される位置）との間でスライドする。セカンドトレイ２１が第１位置に位置しているとき、セカンドトレイ２１の後端２１Ａに設けられた凸部２１ＡＡと、分離傾斜板２２の内面２２Ａに設けられた第１凹部２２ＡＡとが噛み合う。なお、セカンドトレイ２１並びに後述するスライドガイド３４を所定の位置へスライドさせる手段としては、セカンドトレイ２１及びスライドガイド３４の移動量を電気的に制御する方法などが考えられる。
【００４６】
セカンドトレイ２１の左右方向９の寸法は、セカンドトレイ２１の上部においてメイントレイ２０の底板５４の左右方向９の寸法より長く、セカンドトレイ２１の下部においてメイントレイ２０の底板５４の左右方向９の寸法と略同一且つ僅かに短い。つまり、セカンドトレイ２１の左端部２１Ｄ及び右端部２１Ｅには、左右方向９の段差面２１Ｃが形成されている。この段差面２１Ｃが、メイントレイ２０の側板５５，５６の上面に担持される。上記のとおり、段差面２１Ｃより下部において、セカンドトレイ２１の左右方向９の寸法は、メイントレイ２０の底板５４の左右方向９の寸法と略同一である。したがって、セカンドトレイ２１は左右方向９に動くことなく、前後方向８へスライドする。以上のような機構が、セカンドトレイ２１の支持機構として採用可能であるが、もちろんこのような機構に限られず、メイントレイ２０の上部において前後方向８へ移動可能に支持されていれば如何なる支持機構が適用されてもよい。
【００４７】
セカンドトレイ２１が第２位置に配置された状態では、メイントレイ２０の後方側の上面が開けられ、給紙ローラ２５はメイントレイ２０の記録用紙に当接される。この状態で、給紙ローラ２５が回転されると、メイントレイ２０に収容された記録用紙が湾曲路６５Ａへ向けて給紙される。一方、セカンドトレイ２１が第１位置に配置された状態では、給紙ローラ２５はセカンドトレイ２１の記録用紙に当接される。この状態で、給紙ローラ２５が回転されると、セカンドトレイ２１に収容された記録用紙が湾曲路６５Ａへ向けて給紙される。
【００４８】
［スライドガイド３４］
図４乃至図６に示されるように、スライドガイド３４は、セカンドトレイ２１の上部に設けられている。スライドガイド３４は、セカンドトレイ２１と同様、左右方向９の寸法がメイントレイ２０の左右方向９の寸法とほぼ同じであり、前後方向８の寸法がメイントレイ２０の前後方向の寸法よりも短い平板矩形状の部材である。
【００４９】
スライドガイド３４は、メイントレイ２０の上部において前後方向８へスライド可能に支持されている。詳細には、スライドガイド３４は、その後方側の後端３４Ａが分離傾斜板２２に当接する第３位置（本発明の第３位置に相当、図２の破線及び図５に示される位置）と、後端３４Ａが分離傾斜板２２から所定距離だけ前方側へ離間した第４位置（本発明の第４位置に相当、図４に示される位置）との間でスライドする。スライドガイド３４が第３位置に位置しているとき、スライドガイド３４の後端３４Ａに設けられた凸部３４ＡＡと、分離傾斜板２２の内面２２Ａに設けられた第２凹部２２ＡＢとが噛み合う。
【００５０】
スライドガイド３４の左端部１４３及び右端部１４４には、スライドガイド３４の下面から立設され前後方向８へ延びる側板１４５，１４６（本発明の側板の一例）が形成されている。側板１４５は、セカンドトレイ２１の左端部２１Ｄの左側に形成されており、側板１４６は、セカンドトレイ２１の右端部２１Ｅの右側に形成されている。側板１４５，１４６の下面は、メイントレイ２０の側板５５，５６の上面と当接している。また、スライドガイド３４の左端部１４３には、スライドガイド３４の上面から立設され前後方向８へ延びるＵ字形状のレール溝１４７が形成されている。レール溝１４７には、ラックピニオン機構２００の一部を構成する第２ラックギヤ２０５が形成されている。第２ラックギヤ２０５は、ラックピニオン機構２００の一部を構成するピニオンギヤ２０６と噛合されている。これにより、スライドガイド３４は、メイントレイ２０及びピニオンギヤ２０６によって前後方向８へスライド可能に支持される。以上のような機構が、スライドガイド３４の支持機構として採用可能であるが、もちろんこのような支持機構に限られず、スライドガイド３４が前後方向８へ移動可能に支持されていれば、如何なる支持機構が適用されてもよい。
【００５１】
スライドガイド３４が第４位置に配置された状態では、メイントレイ２０の後方側の上面が開けられ、給紙ローラ２５はメイントレイ２０の記録用紙に当接される。この状態で、給紙ローラ２５が回転されると、メイントレイ２０に収容された記録用紙が湾曲路６５Ａへ向けて給紙される。一方、スライドガイド３４が第３位置に配置された状態では、給紙ローラ２５はスライドガイド３４に当接される。この状態で、給紙ローラ２５が回転されると、傾斜路６７Ａを搬送されてきた記録用紙が湾曲路６５Ａへ向けて給紙される。
【００５２】
［ラックピニオン機構２００］
図７及び図８に示されるように、ラックピニオン機構２００は、切換部２６０からセカンドトレイ２１へ駆動伝達する第１駆動伝達機構（本発明の第１駆動伝達機構の一例）と、切換部２６０からスライドガイド３４へ駆動伝達する第２駆動伝達機構（本発明の第２駆動伝達機構の一例）とで構成されている。なお、図８（Ｂ）は図８（Ａ）におけるＡ１−Ａ２の縦断面図であり、図８（Ｄ）は図８（Ｃ）におけるＢ１−Ｂ２の縦断面図である。
【００５３】
第１駆動伝達機構は、第１ラックギヤ２０１と、遊星ギヤ２０２（本発明の遊星ギヤの一例）と、中間ギヤ２０３と、側板１４５と、接続孔２０４（本発明の接続孔の一例）とから構成されている。第１ラックギヤは、上述したようにセカンドトレイ２１の左端部１２０に形成されている。中間ギヤ２０３は、笠歯車である。中間ギヤ２０３は、軸２６４と平行な軸を中心に回転可能に軸支されている。
【００５４】
遊星ギヤ２０２は、側板１４５の左側に形成されている。遊星ギヤ２０２は、中間ギヤ２０３と噛合される笠歯車である第１ギヤ２０２Ａと、第１ギヤ２０２Ａの下側に形成され第１ギヤ２０２Ａと一体に回転する第２ギヤ２０２Ｂと、各々が第２ギヤ２０２Ｂと噛合される第３ギヤ２０２Ｃ及び第４ギヤ２０２Ｄとで構成されている。第１ギヤ２０２Ａ及び第２ギヤ２０２Ｂは、プリンタ部１１の底面のフレームなどから立設された軸を中心に回転可能に軸支されている。第３ギヤ２０２Ｃ及び第４ギヤ２０２Ｄは、第２ギヤ２０２Ｂと側板１４５の間に直線上に並んで、第３ギヤ２０２Ｃが後方側、第４ギヤ２０２Ｄが前方側に配置されている。第２ギヤ２０２Ｂ、第３ギヤ２０２Ｃ及び第４ギヤ２０２Ｄは、Ｖ字形状で一対の板部材２０２Ｅによって、各ギヤの軸を中心に回転可能に軸支されている。詳細には、第２ギヤ２０２Ｂが板部材２０２ＥのＶ字形状の屈曲部、第３ギヤ２０２Ｃ及び第４ギヤ２０２Ｄが板部材２０２ＥのＶ字形状の端部で軸支される。これにより、第３ギヤ２０２Ｃ及び第４ギヤ２０２Ｄは、噛合されている第２ギヤ２０２Ｂの回転に伴って図８（Ａ）に示される破線矢印の方向に回転するとともに、第２ギヤ２０２Ｂを回動中心軸として図８（Ａ）に示される一点鎖線矢印の方向に回転する。
【００５５】
側板１４５は、第１ラックギヤ２０１に沿って設けられている。また、側板１４５は、第１ラックギヤ２０１の左側に形成されており、遊星ギヤ２０２の右側に形成されている。つまり、側板１４５は、第１ラックギヤ２０１と遊星ギヤ２０２の間に形成されており、第１ラックギヤ２０１と遊星ギヤ２０２の噛合を隔てている。
【００５６】
接続孔２０４は、側板１４５を左右方向９に貫通する孔である。接続孔２０４は、スライドガイド３４が第５位置（本発明の第５位置に相当、図６に示される位置）に位置しているときに、遊星ギヤ２０２に対向する位置に形成されている。ここで、第５位置は、第３位置と第４位置の間の任意の位置であって、給紙用モータからセカンドトレイ２１へ駆動力を伝達可能な位置として予め決められた位置である。接続孔２０４は、側板１４５の左側の開口部が右側の開口部より大きく形成されている。接続孔２０４において後方側に形成された壁面２０４Ａと前方側に形成された壁面２０４Ｂは、左側の開口部から右側の開口部にかけて緩やかな傾斜面を形成している。
【００５７】
スライドガイド３４が第５位置以外の位置で前後方向８へスライドするとき、側板１４５の左側の壁面（つまりスライドガイド３４の左端部１４３）は、図８（Ａ）に示されるように、第３ギヤ２０２Ｃ及び第４ギヤ２０２Ｄの双方と当接する。スライドガイド３４が前方側へスライドしながら第５位置へ到達するとき、左端部１４３及び壁面２０４Ｂが順番に第３ギヤ２０２Ｃと当接される。その後、第３ギヤ２０２Ｃと第１ラックギヤ２０１が接続孔２０４を介して噛合される。一方、スライドガイド３４が後方側へスライドしながら第５位置へ到達するとき、左端部１４３及び壁面２０４Ａが順番に遊星ギヤ２０２の第４ギヤ２０２Ｄと当接される。その後、図７及び図８（Ｃ）、（Ｄ）に示されるように、第４ギヤ２０２Ｄと第１ラックギヤ２０１が接続孔２０４を介して噛合される。
【００５８】
図７及び図８（Ｃ）、（Ｄ）に示されるように、切換部２６０の切換ギヤ２６３（本発明の切換ギヤの一例）から中間ギヤ２０３に回転駆動力が伝達されると、その回転駆動力が中間ギヤ２０３から遊星ギヤ２０２を介して第１ラックギヤ２０１に伝達される。この駆動力を受けて、セカンドトレイ２１が中間ギヤ２０３に入力された回転駆動力の回転方向に応じた方向へスライドする。
【００５９】
第２駆動伝達機構は、第２ラックギヤ２０５と、ピニオンギヤ２０６と、中間ギヤ２０７とから構成されている。第２ラックギヤ２０５は、上述したようにスライドガイド３４の左端部１４３に設けられたレール溝１４７に形成されている。
【００６０】
ピニオンギヤ２０６及び中間ギヤ２０７は、軸２６４と平行な軸を中心に回転可能に軸支されている。ピニオンギヤ２０６は、第２ラックギヤ２０５及び中間ギヤ２０７と噛合されている。中間ギヤ２０７は、同一の軸を中心に一体回転可能に軸支されている大ギヤ２０７Ａと小ギヤ２０７Ｂで構成されている。大ギヤ２０７Ａは、切換ギヤ２６３と噛合され、小ギヤ２０７Ｂは、ピニオンギヤ２０６と噛合されている。
【００６１】
第２ラックギヤ２０５にピニオンギヤ２０６及び中間ギヤ２０７が順次噛合されている。図８（Ａ）、（Ｂ）に示されるように、切換ギヤ２６３から中間ギヤ２０７に回転駆動力が伝達されると、その回転駆動力が中間ギヤ２０７からピニオンギヤ２０６を介して第２ラックギヤ２０５に伝達される。この駆動力を受けて、スライドガイド３４が中間ギヤ２０７に入力された回転駆動力の回転方向の応じた方向へスライドする。
【００６２】
［切換部２６０］
以下、図８を参照して、切換部２６０の構成について詳細に説明する。切換部２６０は、給紙用モータから伝達された回転駆動力をセカンドトレイ２１又はスライドガイド３４に伝達するものである。切換部２６０は、プリンタ部１１の内部において、給紙カセット７８の上方に配置されている。
【００６３】
切換部２６０は、支持部２６１によって左右方向９へスライド可能に支持された切換レバー２６２と、切換レバー２６２の切換位置（第１切換位置、第２切換位置）に応じて左右方向９へ移動可能に軸２６４で支持された切換ギヤ２６３とを有する。切換ギヤ２６３には、給紙用モータからの駆動力を切換部２６０へ伝達する伝達ギヤ（不図示）が噛合されている。切換レバー２６２は、左右方向９へ隔てられた第１切換位置及び第２切換位置の間で移動可能である。図８（Ｃ）、（Ｄ）に示されるように、切換レバー２６２が第１切換位置に配置されることで、切換ギヤ２６３が中間ギヤ２０３と噛合される。一方、図８（Ａ）、（Ｂ）に示されるように、切換レバー２６２が第２切換位置に配置されることで、切換ギヤ２６３が中間ギヤ２０７と噛合される。
【００６４】
本実施形態では、切換レバー２６２は、記録部２４に備えられたキャリッジ４０の移動範囲、詳細には、非画像記録領域における移動範囲内に位置されている。したがって、キャリッジ４０が非画像記録領域に移動されると、キャリッジ４０が切換レバー２６２に当接される。これにより、切換レバー２６２が、第１切換位置又は第２切換位置に切り換えられる。なお、切換レバー２６２は、記録部２４の移動による切り換えに限られず、例えば、図示しないアクチュエータが駆動されて切り換えれば２６２が任意の位置に切り換えられる構成が採用されてもよい。
【００６５】
切換レバー２６２は、通常の印字状態では、第１切換位置に切り換えられている。つまり、駆動源（給紙用モータ）からセカンドトレイ２１を駆動させるギヤ（第１ラックギヤ２０１、遊星ギヤ２０２及び中間ギヤ２０３）へは、駆動伝達されている。この場合、スライドガイド３４が第５位置に位置するときには、セカンドトレイ２１は駆動伝達されて移動するが、スライドガイド３４が第５位置以外に位置するときには、セカンドトレイ２１は駆動伝達されず移動しない。
【００６６】
［移動制御］
上述の如く構成されたプリンタ部１１においては、セカンドトレイ２１及びスライドガイド３４をスライドさせる移動制御が複合機１０の全体動作を制御する制御部（不図示）によって行われる。以下、図９及び図１０のフローチャートに基づいて、移動制御の処理手順について説明する。なお、以下においては、説明の便宜上、給紙用モータが正回転された場合にセカンドトレイ２１及びスライドガイド３４を前方（分離傾斜板２２から離反する向き）へ移動させる駆動力が伝達されるものとし、給紙用モータが逆回転された場合にセカンドトレイ２１及びスライドガイド３４を後方（分離傾斜板２２に近づく向き）へ移動させる駆動力が伝達されるものとする。また、プリンタ部１１が、画像記録指示を受けていない準備状態にあるときは、セカンドトレイ２１が第２位置に、スライドガイド３４が第４位置に配置された初期状態にあるものとする。また、切換部２６０の切換レバー２６２が第１切換位置に配置されているものとする。
【００６７】
まず、図９を参照して、メイントレイ２０から給紙された記録用紙に画像を記録する際に行われる移動制御について説明する。複合機１０に画像記録指示が入力されると、制御部によって給紙ローラ２５が回転され、メイントレイ２０上の記録用紙が湾曲路６５Ａへ向けて給紙され、記録部２４において当該記録用紙に画像が記録される（Ｓ１０）。
【００６８】
ステップＳ２０において、両面画像記録の指示信号が入力されていないと判断されると、次の印字データがあるかどうかが判断される（Ｓ３０）。次の印字データがある場合は、更に、当該指示がメイントレイ２０の記録用紙に画像記録を行う指示であるかどうかが判断される（Ｓ４０）。上記指示がメイントレイ２０の記録用紙に画像記録を行う指示であると判断された場合は、再びステップＳ１０以降の手順にしたがった処理が行われ、上記指示がセカンドトレイ２１の記録用紙に画像記録を行う指示であると判断された場合は、図１０におけるステップＳ２１０以降の手順にしたがった処理が実行される。ステップＳ３０において、次の印字データが無いと判断された場合は、一連の処理が終了する。
【００６９】
ステップＳ２０において、両面画像記録の指示信号が入力されたと判断されると、切換レバー２６２が第２切換位置に切り換えられ、スライドガイド３４を第３位置へ移動させる処理が実行される（Ｓ５０）。次に、スライドガイド３４が第３位置に到達したかどうかが制御部によって判断される（Ｓ６０）。かかる判断は、スライドガイド３４の移動量を求めることによって判断できる。スライドガイド３４が第３位置に到達すると、スライドガイド３４の上面によって反転搬送路６７の直線路６７Ｂが形成される。
【００７０】
スライドガイド３４が第３位置に到達すると、ステップＳ１０と同様にして、スライドガイド３４上の記録用紙の画像記録が行われ、当該用紙が排紙保持部７９へ向けて排出される（Ｓ７０）。なお、スライドガイド３４が第３位置に到達したときに、切換レバー２６２が第２切換位置から第１切換位置に切り換えられる。
【００７１】
次のステップＳ８０において、次の印字データがないと判断されると、スライドガイド３４を初期状態に戻す処理が行われる（Ｓ９０）。その後、一連の処理が終了する。一方、次の印字データがある判断されると（Ｓ８０）、上述のステップＳ４０と同じ判断がなされる（Ｓ１００）。そして、上記指示がメイントレイ２０の記録用紙に画像記録を行う指示であると判断された場合は、ステップＳ９０と同様の処理が行われる（Ｓ１１０）。その後、ステップＳ１０以降の処理が行われる。一方、上記指示がメイントレイ２０の記録用紙に画像記録を行う指示でないと判断された場合は、図１０におけるステップＳ２１０以降の手順にしたがった処理が実行される。
【００７２】
続いて、図１０を参照して、セカンドトレイ２１から給紙された記録用紙に画像を記録する際に行われる移動制御について説明する。複合機１０に画像記録指示が入力されると、切換レバー２６２が第２切換位置に切り換えられ、スライドガイド３４を第５位置へ移動させる処理が制御部によって実行される（Ｓ２１０）。次に、スライドガイド３４が第５位置に到達したかどうかが制御部によってステップＳ６０と同様にして判断される（Ｓ２２０）。スライドガイド３４が第５位置に到達すると、切換レバー２６２が第１切換位置に切り換えられ、セカンドトレイ２１を後方へ移動させる処理が制御部によって実行される（Ｓ２３０）。セカンドトレイ２１が第１位置に到達したと判断されると（Ｓ２４０）、制御部によって給紙ローラ２５が回転され、セカンドトレイ２１上の記録用紙が湾曲路６５Ａへ向けて給紙され、記録部２４において当該記録用紙に画像が記録される（Ｓ２５０）。
【００７３】
ステップＳ２６０において、両面画像記録の指示信号が入力されていないと判断されると、次の印字データがあるかどうかが判断される（Ｓ２７０）。次の印字データがある場合は、更に、当該指示がメイントレイ２０の記録用紙に画像記録を行う指示であるかどうかが判断される（Ｓ２８０）。上記指示がメイントレイ２０の記録用紙に画像記録を行う指示であると判断された場合は、セカンドトレイ２１及びスライドガイド３４を初期状態に戻す処理が行われた後に（Ｓ２９０）、図９におけるステップＳ１０以降の手順にしたがった処理が実行される。なお、初期状態に戻す処理は、セカンドトレイ２１を第２位置に戻してから、スライドガイド３４を第４位置に戻す手順で行われる。
【００７４】
一方、ステップＳ２８０において、上記画像記録指示がセカンドトレイ２１の記録用紙に画像記録を行う指示であると判断された場合は、ステップＳ２５０以降の手順にしたがった処理が実行される。また、ステップＳ２７０において、次の印字データが無いと判断された場合は、ステップＳ２９０と同様に、セカンドトレイ２１及びスライドガイド３４を初期状態に戻す処理が行われた後に（Ｓ３００）、一連の処理が終了する。
【００７５】
一方、ステップＳ２６０において、両面画像記録の指示信号が入力されたと判断されると、切換レバー２６２が第２切換位置に切り換えられ、スライドガイド３４を第３位置へ移動させる処理が実行される（Ｓ３１０）。次に、スライドガイド３４が第３位置に到達したかどうかが制御部によって判断される（Ｓ３２０）。
【００７６】
スライドガイド３４が第３位置に到達すると、ステップＳ２５０と同様にして、スライドガイド３４上の記録用紙の画像記録が行われ、当該用紙が排紙保持部７９へ向けて排出される（Ｓ３３０）。なお、スライドガイド３４が第３位置に到達したときに、切換レバー２６２が第２切換位置から第１切換位置に切り換えられる。
【００７７】
次のステップＳ３４０において、次の印字データがないと判断されると、セカンドトレイ２１及びスライドガイド３４を初期状態に戻す処理が行われる（Ｓ３５０）。その後、一連の処理が終了する。なお、初期状態に戻す処理は、スライドガイド３４を第５位置に移動させて、セカンドトレイ２１を第２位置に戻し、その後、スライドガイド３４を第４位置に戻す手順で行われる。
【００７８】
一方、ステップＳ３４０において、次の印字データがある判断されると、上述のステップＳ２８０と同じ判断がなされる（Ｓ３６０）。そして、上記指示がメイントレイ２０の記録用紙に画像記録を行う指示であると判断された場合は、ステップＳ３５０と同様の処理が行われる（Ｓ３７０）。その後、図９のステップＳ１０以降の手順にしたがった処理が実行される。一方、上記指示がメイントレイ２０の記録用紙に画像記録を行う指示ではないと判断された場合は、スライドガイド３４を第４位置に戻す処理が実行される（Ｓ３８０）。これにより、セカンドトレイ２１から記録用紙を給紙可能な状態となる。その後、ステップＳ２５０以降の手順にしたがった処理が実行される。
【００７９】
［実施形態の効果］
上述したように本実施形態が構成されているため、給紙用モータからの駆動力の伝達は、切換部２６０によって、セカンドトレイ２１又はスライドガイド３４に選択的に切り換えられる。したがって、セカンドトレイ２１が移動するときにスライドガイド３４は移動せず、スライドトレイ３４が移動するときはセカンドトレイ２１は移動しない。つまり、各トレイは独立して移動可能である。
【００８０】
上述の構成においては、スライドガイド３４が第５位置に位置するときにのみ、第１駆動伝達機構はセカンドトレイ２１に駆動伝達する。したがって、セカンドトレイ２１が片面印刷又は両面印刷中に誤って移動することはない。その結果、メイントレイ２０から給紙されるシートが誤って第１位置に移動してきたセカンドトレイ２１に遮られること等によって、記録用紙が装置内で詰まることが防止される。
【００８１】
また、上述の構成においては、セカンドトレイ２１は、スライドガイド３４が第５位置に位置するときに、第１位置と第２位置との間で移動可能である。その後、スライドガイド３４が第５位置以外の位置に移動しても、セカンドトレイ２１は移動後の状態を保持できる。つまり、セカンドトレイ２１は、スライドガイド３４が第３位置と第４位置の間の何れに位置していたとしても、第１位置と第２位置の間の任意の位置を保持することができる。
【００８２】
給紙用モータからの駆動力は、キャリッジ４０の移動位置に応じて、第１駆動伝達機構及び第２駆動伝達機構の何れかへ伝達される。つまり、１つの駆動源（例えば給紙用モータ）から複数の駆動伝達機構に対して駆動力が伝達される。したがって、複数の駆動伝達機能の各々が、異なる駆動源から駆動伝達される必要はなく、複合機１０に搭載される駆動源の数を少なくすることが可能である。
【００８３】
スライドガイド３４が第５位置に位置すると、遊星ギヤ２０２と第１ラックギヤ２０１とは接続孔２０４を介して噛合し、第１駆動伝達機構からセカンドトレイ２１へ駆動力が伝達される。第１駆動伝達機構とセカンドトレイ２１の接続は、遊星ギヤ２０２と第１ラックギヤ２０１の噛合によって行われる。
【００８４】
スライドガイド３４に対する支持は、側板１４５によってセカンドトレイ２１の移動方向、つまり前後方向８に行われる。湾曲路６５Ａを形成する外側ガイド部材１８、内側ガイド部材１９又は分離傾斜板２２とスライドガイド３４は、セカンドトレイ２１の左右方向９において勘合される。したがって、メイントレイ２０のみから補完される剛性よりも強い剛性が、外側ガイド部材１８、内側ガイド部材１９又は分離傾斜板２２、及びメイントレイ２０からスライドガイド３４に補完される。
【００８５】
［実施形態の変形例］
なお、上述の実施形態では、給紙カセット７８が２つのトレイ（メイントレイ２０及びセカンドトレイ２１）を有する形態について説明したが、給紙カセット７８が有するトレイの数は２つに限らない。
【００８６】
例えば、給紙カセット７８が３つのトレイ（メイントレイ２０、セカンドトレイ２１及びサードトレイ）を有していてもよい。以下、上述の実施形態と異なる点について説明する。サードトレイはセカンドトレイ２１と同様の構成である。セカンドトレイ２１はメイントレイ２０の上部に設けられ、サードトレイはセカンドトレイ２１の上部に設けられ、スライドガイド３４はサードトレイの上部に設けられている。
【００８７】
ラックピニオン機構２００は、第１駆動伝達機構及び第２駆動伝達機構に加えて、切換部２６０からサードトレイへ駆動伝達する第３駆動伝達機構を備えている。第３駆動伝達機構は第１駆動伝達機構とほぼ同様の構成であるが、異なる点がある。例えば、遊星ギヤは、セカンドトレイ２１の左端部に形成されたラックギヤと対向する高さに設けられた第１遊星ギヤと、第１遊星ギヤの真下部であって、サードトレイの左端部に形成されたラックギヤと対向する高さに設けられた第２遊星ギヤとで構成されている。また、側板１４５には２つの接続孔が設けられており、一方の接続孔はスライドガイド３４が第５位置に位置している場合に第１遊星ギヤに対向する位置に形成され、他方の接続孔はスライドガイド３４が第６位置に位置している場合に第２遊星ギヤに対向する位置に形成されている。ここで、第６位置は、前後方向８において第３位置と第４位置の間の第５位置以外の任意の位置であって、給紙用モータからサードトレイへ駆動力を伝達可能な位置として予め決められた位置である。
【００８８】
切換部２６０の切換レバー２６２は、第１切換位置及び第２切換位置に加えて、第３切換位置の間でも移動可能に構成されている。切換レバー２６２が第３切換位置に配置されたとき、給紙用モータから第３駆動伝達機構を介してサードトレイへ駆動力が伝達される。
【００８９】
このように、駆動伝達機構及び切換部２６０の切換位置を増やすことで、複合機１０に搭載されるトレイの数が３つ以上であっても、本発明は画像記録装置に適用可能である。
【符号の説明】
【００９０】
１０・・・複合機
２０・・・メイントレイ
２１・・・セカンドトレイ
２４・・・記録部
３４・・・スライドガイド
６５・・・搬送路
６７・・・反転搬送路
７８・・・給紙カセット
【図１】
2011051697.tif 000003
【図２】
2011051697.tif 000004
【図３】
2011051697.tif 000005
【図４】
2011051697.tif 000006
【図５】
2011051697.tif 000007
【図６】
2011051697.tif 000008
【図７】
2011051697.tif 000009
【図８】
2011051697.tif 000010
【図９】
2011051697.tif 000011
【図１０】
2011051697.tif 000012